(57)【要約】【課題】  操作と構成が簡便で信頼性と安全性が高く、実用性と実効性の高い痛み解消・健康回復技術と器を実現する。【解決手段】  磁界が空間的にパルス状に分布する磁気発生器で人体表面を服の上からまたは直接振動的に撫でる。または当てる。【選択図】図２
2013252394.tif 000002
【特許請求の範囲】
【請求項１】
空間的にパルス磁界列を発生する磁性体を充填した器具で、身体の不具合部位を振動的に撫でることにより、または静的に当てることにより痛みを解消し、心身の生理機能を整えることによって健康を回復することを特徴とする痛み解消・健康回復用磁気器。
【請求項２】
前記磁性体は、磁化した磁性橄欖岩砕石であることを特徴とする請求項１記載の痛み解消・健康回復用磁気器。
【請求項３】
前記磁性橄欖岩は、三重県菅島で産出する磁性橄欖岩であることを特徴とする請求項２記載の痛み解消・健康回復用磁気器。
【発明の詳細な説明】
【技術分野】
【０００１】
本発明は、心身の痛みを取り、健康を回復する技術全般に関する。とくに磁気を用いて心身の痛みを取り、健康を回復し若返りを図る技術全般に関するものである。本発明は、日本を含む先進諸国の超高齢社会化の急速な進展とともに、爆発的に増加している高齢者を中心に需要が急加速しているものである。同時に、高度情報化・環境汚染大都市化が世界的に進行し、あらゆる人々が様々な精神的、肉体的ストレスに曝され続け、肉体的にはアレルギー疾患、脳疾患、心臓・腎臓疾患、癌、肥満・高血圧・糖尿によるメタボリック症候群などが蔓延し、精神的にはうつ病・ひきこもり、精神分裂、無気力症候群、認知障害、アルコール依存症、などが急増しており、世代を超えて本発明の社会的重要性が増している。
【背景技術】
【０００２】
老化防止に関しては、2000年にマサチューセッツ工科大学のガレンテによって「サーチュイン遺伝子」が発見され、食物摂取カロリーの30％以上減量によって細胞内にサーチュイン酵素が生成し、ミトコンドリアの数が増加して老化が防止されることが、高齢まで飼育された猿の場合で実証された。しかし人間の場合は、必要カロリーの30％減量は、非常な努力を要する苦行である。
［従来技術の課題］
現代の医療は、大病院医療が中心であり、いわゆる西洋医学が根拠となっている。血液分析やMRIなどによる高度な診断技術と、臓器移植を含めたカテーテル、内視鏡等の支援の高度な手術、抗生物質などの細菌に対する高度な薬品、術後ケアなどの高度医療システムは、保健医療制度を基礎に、いかなる疾病も治癒できるような感がある。しかし、現実には上述のような多種多様な新たな心身の疾病群が拡大する一方であり、これらの新たな病気群の治療のためには、新規な視点と原理を取り入れた医療の革新が求められている。すなわち現代医療の基本的課題は、細胞生理や遺伝子レベルを含めた臓器単位の要素医療を基盤としているため、臓器を含めた器官系およびそれらの相互作用への視点が希薄であり、これらの系の機能不全や系同士の相互作用の不調に伴う心身の新規な病気群への総合的医療技術が未発達である（図１）。
【０００３】
これに対して、本発明者らは、身体の６０％以上を占める細胞内外の水分子クラスターに着目し、超低周波磁界を身体に印加することにより水分子クラスターを構成するプロトンが自由プロトン流となって、ミトコンドリア内膜での細胞エネルギー物質アデノシン３リン酸（ATP）の生成能が高まり、心身が活性化する「磁気プロト二クス原理」を確立した。
【０００４】
本発明者らは、この磁気プロトニクス原理による血行促進・血圧正常化装置の特許申請を行っている（特許文献１「微小パルス磁界発生装置及びそれを用いた血行促進・免疫力増加・組織再生システム」、発明者：  毛利  佳年雄、福島  雅典、出願人：科学技術振興機構、特許文献２「血圧正常化装置」、発明者：小川  弘、毛利  佳年雄、福島  雅典、出願人：市川工務店（株）、参照）。
【０００５】
本発明は、本発明者が新たに磁性橄欖岩等の砕石を用いる方法で、等価的に磁気プロトニクス原理が発現することを発見したことを根拠になされたものである。本発見に関しては、既に特許申請を行っている（特許文献３「磁気砂利による水の磁化及び生物の活性化の方法及び装置」、発明者：毛利  佳年雄、山田  潤一、鈴村  真宏、出願人：  名古屋大学、市川工務店株式会社、参照）。  さらに、磁化橄欖岩等の砕石を塩ビパイプ等に充填して自動車運転席の背もたれに設置して運転者の背筋に当て、居眠り運転防止の覚醒効果を発見し、特許申請（特許文献４、  「高齢者の居眠り運転防止の方法および装置」、  発明者：  山田  宗男、  毛利  佳年雄、中野  倫明、  出願人：  名城大学、参照）及び国際会議発表を行うとともに、論文誌（非特許文献1参照）掲載が決定された  。
【先行技術文献】
【特許文献】
【０００６】
【特許文献１】特開２００３−８８５９２号公報
【特許文献２】特開２００８−６１９２１号公報
【特許文献３】特開２０１１−１８２６９２号公報（特願２０１０−５０４９４号）
【特許文献４】特願２０１１−０６２８８８号
【非特許文献】
【０００７】
【非特許文献１】K. Mohri, T. Uchiyama, M. Yamada, T. Watanabe, Y. Inden, T. Kato and S. Iwata, Arousal effect of  physiological magnetic stimulation on elder person's spine for prevention of drowsiness during car driving,  IEEE IN TERMAG 2011, Taipei, CN-07, to be published in IEEE Transactions on Magnetics, vol.47,  INTERMAG issue, 2011
【発明の概要】
【発明が解決しようとする課題】
【０００８】
本発明は、操作と構成が簡便で信頼性と安全性が高く、実用性と実効性の高い痛み解消・健康回復技術と器を実現することを目的とする。
本発明者は、国際会議における台北医学大学研究者との議論および明代の漢方全集「本草綱目」の精査を通して、磁化橄欖岩砕石を動的に使用することにより、痛み解消・健康回復磁気具が実現できる見通しを得、多数の実験の成果を得て、本発明に至った。本発明は、心身の生理システムの動特性に着目し、血液循環系、神経信号循環系、水代謝系（腎臓器官系）、食物代謝系（消化器官系）、気体代謝系（呼吸器官系）の相互の自律平衡を支援する相互干渉を、空間パルス磁界を力学的に振動させて実現した超低周波磁界によって促進するものであり、人工環境系からの種々のストレスへの過剰反応に基づく過食・肥満症、拒食症、うつ病、不眠症などの精神疾患、高血圧症、アルコール依存症、喫煙依存症等の現代病を治癒し、さらに超高齢社会で急増している骨粗しょう症、リウマチ、関節炎、腰痛症、認知症などの高齢者の諸病の痛み解消・健康回復を実現するものである。
【課題を解決するための手段】
【０００９】
本発明の痛み解消・健康回復用磁気器は、空間的にパルス磁界列を発生する磁性体を充填した器具で、身体の不具合部位を振動的に撫でることにより、または静的に当てることにより痛みを解消し、心身の生理機能を整えることによって健康を回復することを特徴とする。
【００１０】
図２は、本発明の効果を発揮する磁性砕石を充填したビニールパイプとその表面磁界分布の測定結果である。尚、横軸は、パイプ長さ方向位置を示す。縦軸は、パイプ表面半径方向磁界を示し、中心が０ｍＧであり、１メモリは１００ｍＧを表す。
【００１１】
三重県菅島産の磁性橄欖岩を磁化して充填すると、砕石同士の相互作用で、空間的にパルス磁界を発生する。（前記論文参照）図１では、このパルス磁界がパイプ長が４０ｃｍで9個、３０ｃｍで5個、２０ｃｍで4個発生しており、パルス分布の平均間隔は約５ｃｍである。各パルス磁界の立ち上がり距離は約５ｍｍであり、パイプを身体表面に沿って５ｃｍ幅で1秒間に１回往復で撫でると、等価的に約１０Hzの超低周波磁界が身体に印加されるので、磁気プロトニクス原理が成立することになる。
【図面の簡単な説明】
【００１２】
【図１】人体の代謝系・循環系のモデル図である。
【図２】3種類の長さの磁化橄欖岩充填パイプとパイプ長さ方向の表面パルス磁界分布を表すグラフである。
【図３】磁化橄欖岩パッドと表面パルス磁界分布を表すグラフである。
【発明を実施するための形態】
【００１３】
本発明の痛み解消・健康回復用磁気器は、前記磁性体が磁化した磁性橄欖岩砕石であることが好ましい。特に、前記磁性橄欖岩は、三重県菅島で産出する磁性橄欖岩であることが好ましい。
【００１４】
以下、図２の磁化橄欖岩砕石充填ビニールパイプ（以下、磁気石パイプ）を使用した実施例によって、本発明を詳細に説明する。
【実施例１】
【００１５】
70歳男性（K.M.  6年前（2005年）狭心症ステント手術）：  2011年4月30日〜5月25日に、一日数回胸部、鳩尾、腹部、頸部を振幅約１０cmで一秒間に2回程度往復撫でを実施。4月30日前までは、常用薬を服用していても血圧変動が激しく、最高血圧で130から210程度まで変動、最低血圧で75〜110程度まで変動していた。血圧上昇時には、不整脈が発生して苛立ちや不安感で気分が悪く、血圧下降薬を臨時に服用し休養を取っていた。歩行では、僅かの登り坂で息が切れ、休憩が必要であった。5月5日以降は、血圧が常に低く安定し、最高血圧が100〜130、最低血圧が60〜80となった。名古屋から東京日帰り出張等も疲労感が残らず、全く支障がなくなった。血圧正常化・安定化の効果があり、心身の種々の障害の全般的改善が自覚される。
【００１６】
磁気石パイプ使用前までの2年間は、体重が82〜83kg（身長175cm）で肥満気味であったが、使用後数日で甘いもの等の間食習慣が全くなくなり、5月5日〜6月20日現在、体重が76kg台に減少しキープしている。肥満減量の効果がある。腹囲が顕著に減少した。このように、磁気石パイプで撫でる方法は、苦行を伴わず自然に摂取カロリー減が実現される。たんぱく質を分解する乳酸菌などの腸内有用細菌の活性化効果（プロバイオティクス）も考えられる。
【００１７】
夜間就寝前に、実施すると、睡眠が深くなり翌朝の目覚めが爽快になっている。所謂快眠・快便・快尿の日常に改善され、QOLが顕著に向上している。
3週間後から、頭髪が半白から黒っぽくなってきた。
【００１８】
両手甲に多数点在していたシミがほとんど消去された。また、免疫力が向上したためか、2年以上長引いていた右足脛の皮膚の湿疹が急速に治癒した。アレルギー軽減の効果がある。
【００１９】
表１は、名古屋大学病院で2ヶ月毎に測定した、3種の血液検査のデータを含むメタボリックシンドロームの５つの指標の変化である。磁気石パイプ撫でを１０ヶ月間実施した結果、表１のように、磁気パイプ使用前６年間はメタボリックシンドロームの５項目のすべてで異常値を示していたが、使用後2ヶ月で血圧と胴回り寸法が正常化し、4ヶ月でさらにHDLコレステロール値および血糖値も正常化した。そして10ヶ月使用で、残りの多脂肪酸値も正常化し、5項目すべてが正常化した。血液データは、名古屋大学附属病院の血液検査部のデータである。磁気パイプ使用前１ヶ月時点で同病院でカテーテル検査を行った結果、6年前の狭心症手術時に設置したステント4個すべての血栓閉塞状態が判明した。このため、以降はメタボリックシンドロームの悪化が予想されていた。
【００２０】
血液定期検査と並行して同病院で実施してきた２ヶ月毎の１２誘導法心電図定期検診では、磁気パイプ使用前6年間は一貫して「心尖部動脈硬化の疑い」の判定であり、T波（大静脈機能）が平坦化していた。これまでの虚血性心疾患手術後に心筋機能（心電図）が回復した例はほとんどない。しかるに、磁気パイプ使用2ヶ月後の心電図検査では、T波のピーク高さが約2倍に回復し、「動脈硬化の境界」の判定に変化した。以後、不整脈や息切れ、不眠、不安感などの諸症状は急速に解消している。これは、磁気パイプの生体活性効果が、細胞内ミトコンドリア内膜でのATP生成能の増強を原理としているため、ミトコンドリア系細胞が多数存在する心筋でとくに効果が顕著に現れた事例と思われる。また、脳波の周波数スペクトル測定では、PMS 以前の睡眠脳波（δ波、θ波）優勢型から、PMS２ヶ月で覚醒脳波（α波、β波）優勢型に移行し、脳機能の回復も認められた。
【００２１】
【表１】
2013252394.tif 000003
【実施例２】
【００２２】
68歳女性（Y.K. 米国在住開業医）：  2011年4月22日〜26日に両足全体を日に数回撫でた。2009年12月以来、腰椎変形による両足筋肉痛が慢性化し、階段の上がり降りが困難になり、散歩も困難になっていた。磁気石パイプで両足を撫で始めて2日後に、両足の筋肉痛が顕著に解消し、階段の上がり降りが出来るようになった。
【実施例３】
【００２３】
70歳女性（Y.M.病院ボランティア）：  3月中旬から歯痛（副鼻腔炎？）のため、鎮痛剤服用が続いていた。4月30日から磁気石パイプで鼻側を日に数回撫で始め、2日後に痛みが解消し、鎮痛剤が不要になった。さらに２，３年来の両手親指付けの痺れ部位も、撫ではじめてから一週間ほどで改善され、常用の絆創膏が不要になった。撫でを中止すると痺れは発生する。
【００２４】
肌に潤いと艶が顕著に出てきた。３週間使用し、曲がっていた背筋が伸びてきた。
胸部、腹部を日に数回撫でると、便秘が解消した。また就寝中は熟睡するようになった。
【実施例４】
【００２５】
76歳男性（Y.M.）、70歳女性（N.M.）夫妻：  5月20日から、日に数回胸部、鳩尾、腹部を撫でる。2日後から快眠・快便・快尿状態になった。
【実施例５】
【００２６】
74歳男性（M.M.）：首のうしろを中心に胸部、鳩尾、腹部を撫で、２週間経過して2年来の難聴、耳鳴りが軽減されてきた。
【実施例６】
【００２７】
70歳男性（K.M.）および70歳女性：日本からスペインの国際会議参加のため旅客機はエコノミークラスで海外出張した。旅行中胸部、鳩尾、腹部、首の後ろ、肩部、脚部を撫でた結果、出張先および帰国後ともに、時差ボケが全く発生しなかった。
【００２８】
以上、実施例１〜６は、磁気石充填パイプで身体を撫で、身体の部位に超低周波磁界を印加して活性化し、心身の機能を整える効果の実施例を示した。
つぎに、図３に示すように、磁性橄欖岩砕石を平面に分布させたパッド2例（幅11 cm、長さ16 cm、245  gr（a ）,  幅6 cm、長さ9 cm、80  gr  ( b )  と点線に沿って表面パルス磁界の分布を磁気センサで測定。）を用いた実施例を説明する。尚、横軸は、パッド長さ方向位置を示す。縦軸は、パッド面垂直表面磁界を示し、中心が０ｍＧであり、１メモリは１００ｍＧを表す。
【実施例７】
【００２９】
70歳男性（K.M.）  4月30日に痛風発作が右足の甲と内側踝に出て赤く腫れ、痛み始めたため、図３ ( b ) のパッドをガーゼに包んで患部に当て、靴下履きで固定した。当てた直後から患部に清涼感があり、通常は１週間以上掛かるところ、2日で痛みが急減した。足の甲の腫れも急速に引いた。
【００３０】
また、図３ ( a ) のパッドの上に水道水を入れたビンを置いて約３時間放置したところ、水道臭が消えおいしい水になった。
【実施例８】
【００３１】
66歳男性（S.U.）  階段を踏み外して転倒し左足アキレス腱断絶。大学病院に２０日間治療入院。退院3日目から図３（a ）装着使用。2日目から歩行時の痛みが急減。脹脛、脛の筋肉痛には、磁気石パイプで撫でている。
【００３２】
入院と同時に禁煙も始め、退院後も継続しているが、磁気石パイプで胸、鳩尾、腹部を撫でていることで、さらに順調に禁煙できているようである。
【実施例９】
【００３３】
34歳女性（A.K.）  10年以上前から片頭痛が慢性的にあり、前兆としてギザギザでキラキラ光る光が目の中に見え、しばらくしてから立っていられない片頭痛が数時間起きていた。キラキラ光るものが見え始めてから、図３（a ）のパッドを後頭部首筋に当てていたところ、約３０分を経過して片頭痛が起きないことが分った。
【００３４】
パッドの発生磁界はパルス分布であるが静磁界である。この場合、身体内の血液細胞などの流動体液細胞が、空間パルス磁界中を通過するとき超低周波磁界を受けるため、磁気プロトニクス原理が出現すると考えられる。そのとき生成される細胞ATPを使用して、血行が促進され、患部の修復が進行し心身のストレスが軽減していると考えられる。
【００３５】
以上、実施例で本発明の詳細な説明を行った。これらの実施例は、本発明を制限するものではなく、実施の基本形を示したものであり、これらを基礎に、例えばボール型や数珠方など多くのバリエーションが展開できるものであり、本発明者はすでに実施し効果を確認済みである。
【図１】
2013252394.tif 000004
【図２】
2013252394.tif 000005
【図３】
2013252394.tif 000006